(57)【要約】      （修正有）【課題】筋電測定に際し、経験の少ない測定者であっても簡単に電極を目的の筋肉の適切な部位に配置できるようにする補助具の提供。【解決手段】人体の骨格、筋肉、神経等の学習・指導、或いは筋電計により電位を測定する際に用いる補助具であって、全体が伸縮性のある素材で作られ、皮膚表面によくフィットする構造になっている。人体の筋肉等解剖図の線画２と筋肉の名称６を織り込み或いはプリントし、パイプ状のルート３に通しておいた電極を、当該の筋の近くのスリット４から当該の筋の電極配置部位６に置き電極を装着するようにした。【選択図】図５
2014180388.tif 000002
【特許請求の範囲】
【請求項１】
人体の骨格、筋肉、神経等の解剖図とその名称を織り込み或いはプリントすることにより、解剖学、バイオメカニクス、スポーツ分野における学習・指導補助具。
【請求項２】
筋電計により筋肉に生じる電圧を測定する際に用いる補助具であって、伸縮性のある素材
で作られた長袖・半袖・ランニングシャツおよび長ズボン・半ズボンからなる請求項１に記
載の測定補助具。
【請求項３】
人体の筋肉解剖図と筋肉の名称が織り込み或いはプリントし、測定用の電極を配置する部
位に対応したスリットを設けたことを特徴とする請求項１又は請求項２に記載の測定補助
具。
【請求項４】
電極リード線を通すためのパイプ状のルートを設けたことを特徴とする請求項１、請求項
２又は請求項３に記載の測定補助具。
【発明の詳細な説明】
【技術分野】
【０００１】
本発明は、人体の骨格、筋肉、神経等の解剖学、バイオメカニクス、スポーツ分野における学習・指導補助具、並びに人間が動作する際の負荷や疲労を捉える方法として動作に関与する筋肉に生じる電位の変化として定量的に測定する筋電図測定に使用される測定補助具に関するものである。
【背景技術】
【０００２】
人体の筋肉にかかる負荷や疲労度を定量的に知る方法として、従来より被験者の筋肉に生じた電位変化を測定し、得られた測定値から負荷や疲労の度合いを算出・評価することが行われている。この筋肉に生じた電位変化を皮膚表面から測定するためには、対象とした筋の表面に測定用の電極を粘着テープで貼り付けて固定し、更に電極により導出された電位をリード線によって筋電計に送り、増幅・記録したり、ディスプレイ画面に筋電波形として表示したりしている。
【０００３】
このような筋電位の測定は、測定したい筋肉の上に正確に電極を貼ることが重要であるため、電極の貼付位置を特定するにはそれなりの知識が必要となり、一般的には経験のある技術者が被験者に対し電極を貼ることが多い。
【０００４】
一方、筋電位の測定を行う場面としては、スポーツ選手や製造現場での作業者に被験者となってもらうことが必要あり、被験者として女性が対象となることも少なくない。女性の被験者によっては男性技術者が従来の電極を粘着テープで皮膚表面に貼付する方法に抵抗を感じる場合も考えられる。
【０００５】
更に、実際に筋電位の測定を開始した後に激しい動作によって電極の粘着テープが剥がれることや、長時間の記録によって電極の位置がずれる危険性がある。また、個人差はあるものの、数時間も粘着テープを貼り付けていると接触面がかゆくなるなどの問題も生じる。
【先行技術文献】
【特許文献】
【０００６】
【特許文献１】特許第３７１１２３６号被験者の体表面から電気信号を導出する際の補助具として従来より着衣型のものが提案されており、例えば、心電図の測定ができ、筋電情報あるいは体動情報を検出できるものとして、電極の代わりに導電性繊維をセンサとして縫合し、信号伝達も導電性繊維を用いる着衣型被服が提案されている。
【０００７】
【特許文献２】特開２００９-２５４６４９  被験者が衣類を着たままの状態で電極を貼り付けられるように、測定用電極を貼り付ける部位に切り込みを入れて窓を設け、窓から露出する身体の表面に電極を取り付けられるようにしたものが提案されている。
【発明の概要】
【発明が解決しようとする課題】
【０００８】
上記の特許文献１に記載のような着衣型被服は、心電図測定のために電極が所定部位６
箇所に縫い付けられておりそのままで測定できるという利点があるが、その電極位置が解
剖学・生理学的にどのような意味を持つ位置であるかについては学習することはできない。また、筋電図のように測定対象によって電極の貼り付け箇所が変わる場合には、電極位
置が固定された着衣では対応することができない。
【０００９】
上記の特許文献２に記載のような着衣に窓を設けた被服でも、経験の少ない測定者では
適切な電極位置を特定することは難しく、更に電極を粘着テープ等で貼り付ける事の煩雑さが問題である。
【００１０】
本発明は、このような事情に鑑みてなされたものであり、その目的とするところは、人体の骨格、筋肉構造等が立体的に認識しやすい学習・指導補助具を提供するとともに、筋電図測定に際し、誰でも簡単に目的の筋肉上に電極を貼り付け安定した筋電図記録ができる測定補助具を提供することにある。
【課題を解決するための手段】
【００１１】
上記の目的を達成するため、本発明は、人体構造を学習・指導する際、あるいは筋電計により筋肉に生じる電圧を測定する際に用いる補助具であって、長袖・半袖・ランニングシャツおよび長ズボン・半ズボンからなり、全体が伸縮性のある素材で作られ、皮膚表面によくフィットする構造になっている。それぞれに人体の骨格、筋肉、神経等の解剖図と名称を織り込み或いはプリントによって表示することで、人体構造の学習・指導を効果的にできることを特徴としている。筋電図測定に際しては、電極及びリード線を通すためのパイプ状のルートを設けるとともに電位を導出する最適位置を織り込み或いはプリントによって表示し、電極を配置する部位に対応したスリットを設けることによって、電極をスリットから皮膚側に入れて当該の筋の配置部位に置けばよいので、測定者は簡単に適切な位置に電極を装着することができる。被験者には補助具を着用したまま肌を露出することなく電極を装着することができるので負担が少なく、伸縮性のある布面で電極を皮膚に安定して圧着することによって電極間抵抗を抑えるとともに、織り込みパイプ内を通るリード線が課題動作の遂行に障害となることを解消できるため、安定した筋電図の導出を可能にすることを特徴としている。
【００１２】
測定補助具は全体に伸縮性があり、皮膚表面によくフィットする構造になっており皮膚表面に置かれた測定用の電極を皮膚に対して適度に圧着し、電極間抵抗を抑えるとともに電極がズレないように保持する。
【００１３】
測定補助具には、人体の骨格、神経、筋肉等の解剖図と名称を織り込み或いはプリントによって示すとともに、筋電図記録に際する適切な電極の位置を織り込み或いはプリントによって示す。
【００１４】
パイプ状のルートは電極を配置する部位まで伸ばし、配置地点の数センチメートル手前にスリットを設け、電極をスリットから皮膚側にくぐらせることによって配置部位の皮膚に接触できるようにする。
【発明の効果】
【００１５】
本発明は、人体の骨格、神経、表在の筋肉等の解剖図それらの名称を織り込み或いはプリントされた補助具を着用することによって人体構造を立体的に把握することが可能となり、効果的な学習・指導が期待できる。さらに、適切な電極の位置を織り込み或いはプリントされた補助具を被験者に着用してもらうことによって、経験の少ない測定者であっても筋電図記録に際して対象とする筋肉並びに適切な配置部位を特定できるので、正確な筋電図記録が可能となる。
【００１６】
あらかじめ筋電図測定をする筋肉の配置部位までパイプ状のルートに従ってリード線付きの電極を通しておいた補助具を被験者に着用してもらい、その後、測定者が電極をスリットから皮膚側にくぐらせ配置部位の皮膚に接触できるようにすることで、粘着テープを使用することなく簡単にかつ適切な位置に電極を配置することができるため、被験者に対する粘着テープによるアレルギーに対する心配が軽減される。特に、被験者が女性であっても、測定者の前で肌を露出するという必要がない。
【００１７】
上記に加え、伸縮性のある素材であることから電極を上部から皮膚表面に圧着することにより、生体電位の記録で重要な電極間抵抗を抑えるとともに皮膚と電極とのズレを少なくすることで、安定した筋電図記録が可能となる。
【図面の簡単な説明】
【００１８】
【図１】本発明に係る測定補助具を構成する伸縮性素材で作られたパンツ1である。              （実施例１）
【図２】着用した状態を想定したパンツ１に筋肉の位置を線画２にして織り込み或いはプリントしたものである。（実施例２）
【図３】パンツ１に測定用の電極およびリード線を通すパイプ状のルート３(灰色の曲線)およびスリット４(黒の横線)を示したものである。（実施例３）
【図４】パンツ１に電極の設置位置５ならびに筋肉名(略名)６を示したものである。（実施例４）
【図５】パンツ１における測定補助具としての構成を総合的に示したものである。      （実施例５）
【図６】パンツ１の電極７およびリード線８を通すパイプ状のルート３とスリット４の断面構造を拡大し、パンツ１を着用するにあたっての電極７およびリード線８の収納例を示したものである。（実施例６）
【図７】パンツ１のパイプ状のルート３の皮膚側のスリット４から電極７をくぐらせ、皮膚面に設置した状態を示したものである。（実施例７）
【符号の説明】
【００１９】
１ 測定補助具として伸縮性素材で作られたパンツ
２ 筋肉の位置を示す線
３ 測定用の電極およびリード線を通すパイプ状のルート
４ 電極を皮膚側に入れるためのスリット
５ 電極を配置する位置を示すマーク
６ 筋肉名(略名)の表示
Ra ： rectus abdominis 腹直筋
Sa ： Sartorius 縫工筋
Rf ： rectus femoris 大腿直筋
Vl ： vastus lateralis 外側広筋
Vm： vastus medialis 内側広筋
Ta ： tibialis anterior
前脛骨筋
７ 記録用電極
８ 電極リード線
９ 人体の皮膚
【発明を実施するための形態】
【００２０】
図１は本発明に係る測定補助具の一例を示す概略図であり、同図に示す測定補助具は、  
身体にフィットする伸縮性のある材料で作成されたパンツ１である。パンツ１はサイズ別に数種類を準備しておくようにする。
【００２１】
図２はパンツ１を着用した状態を想定し筋肉の位置を線画２にして織り込み或いはプ
リントした状態を示したものである。骨格、神経、筋肉等の解剖図についても同様の線画によって示すものである。
【００２２】
図３はパンツ１に筋電図測定用として電極及び電極リード線を通すパイプ状のルート３並びに電極を通すスリット４を複数設けられている。
【００２３】
図４はパンツ１に筋電図測定の際に電極を設置する適切な位置５並びに当該筋肉の名称６を示すものである。名称の表示については必要に応じて略称等によることも考える。
【００２４】
図５はパンツ１に筋肉等の解剖図の線画２、パイプ状のルート３、スリット４、電極を設置する適切な位置５並びに当該筋肉の名称６を総合的に表示したものである。
【００２５】
図６はパンツ１により、電極７およびリード線８を通すパイプ状のルート３とスリット４の断面構造を拡大し、筋電図記録に先立ってパンツ１を着用するにあたっての電極７およびリード線８の収納例を示したものである。電極７およびリード線８はパイプ状のルート３に収まった状態であるため、通常のパンツを履く要領でパンツ１を着用することができる。
【００２６】
図７は筋電図導出に先立ってパンツ１のパイプ状のルート３の皮膚側のスリット４から電極７をくぐらせ、皮膚面９に設置した状態を示したものである。皮膚９に接触した
電極７はパンツ１の伸縮性の素材により皮膚９に圧着されるため、粘着テープ等を使用することなく簡単に適切な位置に配置することができる。
【図１】
2014180388.tif 000003
【図２】
2014180388.tif 000004
【図３】
2014180388.tif 000005
【図４】
2014180388.tif 000006
【図５】
2014180388.tif 000007
【図６】
2014180388.tif 000008
【図７】
2014180388.tif 000009